(57)【特許請求の範囲】
【請求項１】
Ａ列の２番乃至５番の用紙を第１の方向に載置した場合の当該用紙と、Ａ列の３番乃至５番の用紙を前記第１の方向に直交する第２の方向に載置した場合の当該用紙と、Ｂ列の３番乃至５番の用紙を前記第１の方向に載置した場合の当該用紙と、Ｂ列の４番及び５番の用紙を前記第２の方向に載置した場合の当該用紙とを、識別する用紙サイズ検出装置であって、
前記識別のために、その各々が３個のビームを検出する第１乃至第３の３ビームセンサを備え、
前記第１の３ビームセンサを、その３個のビームの位置が、前記第１の方向の一辺において隣接し、かつ、前記第１の方向に載置したＡ列の４番の用紙の載置されるべき位置と前記第１の方向に載置したＢ列の５番の用紙の載置されるべき位置との間、前記第１の方向に載置したＢ列の５番の用紙の載置されるべき位置と前記第１の方向に載置したＡ列の５番の用紙の載置されるべき位置との間、及び、前記第１の方向に載置したＡ列の５番の用紙の載置されるべき位置と前記第２の方向に載置したＢ列の５番の用紙の載置されるべき位置との間に、位置するように配置し、
前記第２の３ビームセンサを、その３個のビームの位置が、前記第２の方向の一辺において隣接し、かつ、前記第２の方向に載置したＡ列の４番の用紙の載置されるべき位置と前記第２の方向に載置したＢ列の５番の用紙の載置されるべき位置との間、前記第２の方向に載置したＢ列の５番の用紙の載置されるべき位置と前記第２の方向に載置したＡ列の５番の用紙の載置されるべき位置との間、及び、前記第２の方向に載置したＡ列の５番の用紙の載置されるべき位置と前記第１の方向に載置したＢ列の５番の用紙の載置されるべき位置との間に、位置するように配置し、
前記第３の３ビームセンサを、その３個のビームの位置が、前記第１及び第２の方向に共に斜めに交わる方向において隣接し、かつ、
前記第１の方向に載置したＡ列の２番の用紙の載置されるべき位置と前記第１の方向に載置したＢ列の３番の用紙の載置されるべき位置との間、前記第１の方向に載置したＢ列の３番の用紙の載置されるべき位置と前記第２の方向に載置したＡ列の３番の用紙の載置されるべき位置との実質的な交点、及び、前記第１の方向に載置したＢ列の３番の用紙の載置されるべき位置と前記第１の方向に載置したＡ列の３番の用紙の載置されるべき位置との間に、位置するように配置する
ことを特徴とする用紙サイズ検出装置。
【発明の詳細な説明】
【０００１】
【発明の属する技術分野】
本発明は、用紙サイズ検出装置に関し、特に、複数の用紙のサイズを正確に検出することができる用紙サイズ検出装置に関する。
【０００２】
【従来の技術】
複写機においては、通常、その複写機が複写できる最大のサイズ（大きさ）以下の各種のサイズの用紙（紙その他の媒体）が複写される。当該最大のサイズは、用紙を載置するプラテンガラスのサイズに略等しい。また、複写機において用いられる用紙としては、通常、ＪＩＳ（日本工業規格）によるいわゆるＡ列の用紙とＢ列の用紙とがあリ、更に、各列毎に０番乃至１０番のサイズがある。更に、Ａ列又はＢ列の同一のサイズの用紙であっても、用紙が長方形であるため、複写機の原稿台上に用紙を載置した際の方向により、縦及び横の区別が生じる。
【０００３】
ところで、複写機においては、通常、用紙のサイズを自動的に検出する（自動用紙サイズ検出）ことが行われる。自動用紙サイズ検出機能を実現するためには、通常、光センサを備える用紙サイズ検出装置が用いられる。しかし、光センサは高価であり、用紙サイズ検出装置ひいては複写機の製造コストを下げるためには、使用する光センサの個数を少なくする必要がある。そこで、できるだけ少ない個数の光センサで各種のサイズの用紙を正確に検出するために、光センサはある特定の位置に配置される。
【０００４】
【発明が解決しようとする課題】
従来、最大でＡ列２番の用紙を複写することができる複写機（以下、Ａ２複写機）においては、図８に示すように、７個の光センサ（ビームセンサ）１１０乃至１１６を必要としていた。即ち、Ａ２複写機においては、通常、Ａ列のＡ２Ｒ（Ａ列２番、Ｒは複写機の長さ方向に載置した場合を示す、以下同じ）、Ａ３Ｒ、Ａ４Ｒ、Ａ５Ｒ、Ａ３、Ａ４、Ａ５の用紙１００と、Ｂ列のＢ３Ｒ、Ｂ４Ｒ、Ｂ５Ｒ、Ｂ４、Ｂ５の用紙１００とを、識別しなければならない（これ以下のサイズの検出は、通常、必要とされない）。そこで、光センサ１１０乃至１１６を図８に示す位置に配置して、当該７個の光センサの図９に示すオン／オフの組み合わせにより、これらの１２種類の用紙１００を識別している。図９において、丸印は当該光センサのオンを示す。例えば、図９において光センサ１１０乃至１１６が全てオンの場合、これらから出力された光（ビーム）Ｓ０乃至Ｓ６が用紙１００で反射して再度の光センサに入射したのであるから、図８から当該用紙１００はＡ２Ｒであることが判る。
【０００５】
しかし、このような光センサ１１０乃至１１６の配置によれば、１２種類の用紙１００を識別するために、７個の光センサ（１ビームセンサ）を使用する。このため、複写機のコストに、当該光センサの単価の７倍のコストが組み込まれてしまう。即ち、光センサの単価をａ（円）とすると、７ａがコストに加わる。
【０００６】
ところで、光センサの種類として、１ビームセンサと３ビームセンサとがある。１ビームセンサは、図８に示すように、光センサとして１個に構成され、１個のビームを出力しその反射光を検出する。３ビームセンサは、図１０に示すように、光センサとして外観は１個に構成されるが、実際には３個のビームを独立に出力しその反射光を独立に検出する。３ビームセンサのコストは、１ビームセンサのそれの３倍ではなく、約１．１倍程度に止まる。
【０００７】
そこで、このコストの差に着目して、本発明者は、前述の１２種類の用紙１００を識別するＡ２複写機において、図１０に示すように、光センサを配置した複写機について検討した。この複写機は、図１０に示す２個の３ビームセンサ１１７及び１１９と２個の１ビームセンサ１１８及び１２０とを用い、図１２に示すオン／オフの組み合わせにより、これらの１２種類の用紙１００を識別することができる。図１１は、３ビームセンサ１１７及び１１９（のサイズ）を１ビームセンサ１１８及び１２０との対比において示す。なお、図８においては個々の光センサとビームとが対応しているが、図１０においてはビームＳ０乃至Ｓ２が１個の３ビームセンサ１１７で出力及び検出され、ビームＳ４乃至Ｓ６が１個の３ビームセンサ１１９で出力及び検出される。
【０００８】
この場合の複写機の用紙サイズ検出装置のコストには、光センサの分のコストとして、１ビームセンサの単価をａとすると、２ａ＋２（ａ×１．１）＝４．２ａがコストに加わる。このような本発明者の検討によれば、３ビームセンサを用いることにより、前述した従来の光センサの分のコスト７ａよりも、複写機の用紙サイズ検出装置における光センサの分のコストを低減することができる。従って、１ビームセンサを使用せずに３ビームセンサのみを用いることができれば、用紙サイズ検出装置ひいてはこれを備える複写機における光センサの分のコストを更に低減することができる。
【００１０】
本発明は、複数の用紙のサイズを正確に検出することができる用紙サイズ検出装置を提供することを目的とする。
【００１１】
【課題を解決するための手段】
図１は、本発明の原理構成図であり、本発明による用紙サイズ検出装置を備える複写機における光センサの構成を示す。この用紙サイズ検出装置又は複写機は、Ａ列の２番乃至５番の用紙２０を第１の方向（複写機の長さ方向、Ｒを付加して表す）に載置した場合の当該用紙２０と、Ａ列の３番乃至５番の用紙２０を第１の方向に直交する第２の方向（複写機の幅方向）に載置した場合の当該用紙２０と、Ｂ列の３番乃至５番の用紙２０を第１の方向に載置した場合の当該用紙２０と、Ｂ列の４番及び５番の用紙２０を第２の方向に載置した場合の当該用紙２０とを、識別する。
【００１２】
この用紙サイズ検出装置又は複写機は、前記識別のために、その各々が３個のビームを検出する第１乃至第３の３ビームセンサを備える。第１の３ビームセンサは、その３個のビームの位置が、第１の方向の一辺において隣接し、かつ、第１の方向に載置したＡ列の４番の用紙２０の載置されるべき位置と第１の方向に載置したＢ列の５番の用紙２０の載置されるべき位置との間、第１の方向に載置したＢ列の５番の用紙２０の載置されるべき位置と第１の方向に載置したＡ列の５番の用紙２０の載置されるべき位置との間、及び、第１の方向に載置したＡ列の５番の用紙２０の載置されるべき位置と第２の方向に載置したＢ列の５番の用紙２０の載置されるべき位置との間に、位置するように配置される。第２の３ビームセンサは、その３個のビームの位置が、第２の方向の一辺において隣接し、かつ、第２の方向に載置したＡ列の４番の用紙２０の載置されるべき位置と第２の方向に載置したＢ列の５番の用紙２０の載置されるべき位置との間、第２の方向に載置したＢ列の５番の用紙２０の載置されるべき位置と第２の方向に載置したＡ列の５番の用紙２０の載置されるべき位置との間、及び、第２の方向に載置したＡ列の５番の用紙２０の載置されるべき位置と第１の方向に載置したＢ列の５番の用紙２０の載置されるべき位置との間に、位置するように配置される。第３の３ビームセンサは、その３個のビームの位置が、第１及び第２の方向に共に斜めに交わる方向において隣接し、かつ、第１の方向に載置したＡ列の２番の用紙２０の載置されるべき位置と第１の方向に載置したＢ列の３番の用紙２０の載置されるべき位置との間、第１の方向に載置したＢ列の３番の用紙２０の載置されるべき位置と第２の方向に載置したＡ列の３番の用紙２０の載置されるべき位置との実質的な交点、及び、第１の方向に載置したＢ列の３番の用紙２０の載置されるべき位置と第１の方向に載置したＡ列の３番の用紙２０の載置されるべき位置との間に、位置するように配置される。
【００１３】
本発明の用紙サイズ検出装置を備える複写機によれば、図１に示す３個の３ビームセンサのみを用い、図２に示すオン／オフの組み合わせにより、前述の１２種類の用紙２０を識別することができる。この場合の複写機のコストには、光センサの分のコストとして、１ビームセンサの単価をａとすると、３（ａ×１．１）＝３．３ａがコストに加わる。従って、従来の光センサの分のコスト７ａ、及び、本発明に先立って本発明者が検討したコスト４．２ａよりも、用紙サイズ検出装置ひいては複写機における光センサの分のコストを低減することができる。これにより、価格競争の激しい複写機において、複写機全体のコストを有効に低減することができる。
【００１４】
【発明の実施の形態】
図３は、複写機説明図であり、図１及び図２に示す本発明の光センサを有する用紙サイズ検出装置を備える複写機の構成の概略を示す。特に、図３（Ａ）は平面図を示し、図３（Ｂ）断面図を示す。図３（Ａ）は図１に対応する。
【００１５】
この複写機において、図３（Ｂ）に示すように、用紙２０は透明なプラテンガラス２上に載置される。プラテンガラス２は、当該複写機の筐体１の上部に嵌め込まれる。プラテンガラス２のサイズは、図３（Ａ）に示すように、当該複写機において複写できる最大のサイズであるＡ列２番の用紙２０と略等しい（やや大きい）。プラテンガラス２に沿う筐体１の上部の表面には、用紙２０の載置すべき位置を示す目盛りが表示される。実際には、図１に示すように、目盛りと共に、当該位置に載置すべき用紙２０のサイズも「Ａ２Ｒ」のように表示される。更に、用紙２０の一隅を位置付けるべき角部が、例えば図３（Ａ）に示す筐体１の上部の表面に描かれた矢印（及び説明書き）により表示される。
【００１６】
この複写機は、１２種類の用紙（紙、透明フィルム、その他の媒体）２０を識別する。即ち、Ａ列の２番乃至５番（Ａ２乃至Ａ５）の用紙２０を第１の方向に載置した場合の当該用紙２０を識別する。Ａ列の３番乃至５番（Ａ３乃至Ａ５）の用紙２０を第１の方向に直交する第２の方向に載置した場合の当該用紙２０を識別する。Ｂ列の３番乃至５番（Ｂ３乃至Ｂ５）の用紙２０を第１の方向に載置した場合の当該用紙２０を識別する。Ｂ列の４番及び５番（Ｂ４乃至Ｂ５）の用紙２０を第２の方向に載置した場合の当該用紙２０を識別する。
【００１７】
Ａ列及びＢ列は、いずれもＪＩＳ（日本工業規格）による紙加工仕上げ寸法の系列であり、広く普及している。図５に、ＪＩＳにおいて規格として定められているＡ列及びＢ列の０番乃至１０番の紙の寸法を示す。図５から判るように、用紙２０はいずれも長方形であり、各々長辺及び短辺（縦方向及び横方向）を有する。
【００１８】
第１の方向とは、図３（Ａ）に示すように、当該複写機の長さ方向であり、プラテンガラス２の長辺方向である。第１の方向に用紙２０を載置した場合は、例えばＡ２Ｒのように、当該用紙２０のサイズＡ２にＲを付加して表される。第２の方向とは、第１の方向に直交し、当該複写機の幅方向であり、プラテンガラス２の短辺方向である。第２の方向に用紙２０を載置した場合は、例えばＡ３のように、当該用紙２０のサイズＡ３をそのまま用いて表される。第１及び第２の方向に用紙２０を載置するとは、当該方向に用紙２０の長辺を合わせて（縦長になるように）載置することを言う。
【００１９】
なお、図１等において、用紙２０のサイズと共に表示されている値（複写機には表示されない）は、当該用紙２０の実際の寸法（単位ｍｍ）である。また、光センサ３等の各ビームＳと共に表示されている値（複写機には表示されない）は、当該各ビームＳの光中心の位置（単位ｍｍ）を示す。いずれの原点も、図３（Ａ）において矢印で示されるプラテンガラス２の左上隅である。
【００２０】
また、用紙２０のサイズと各ビームＳとの関係を判り易くするために、図６及び図７に当該関係を示す。図６は、図１（及び図３）における第１の方向に載置されたＡ２Ｒ等の用紙２０のみを抜き出して、各ビームＳとの関係を示す。図７は、図１（及び図３）における第２の方向に載置されたＡ３等の用紙２０のみを抜き出して、各ビームＳとの関係を示す。
【００２１】
１２種類の用紙２０の識別のために、この複写機は、第１乃至第３の（３個の）３ビームセンサ３乃至５を備える。３ビームセンサ３乃至５は、その各々が、３個のビームを検出する。３ビームセンサは、図４（Ｂ）に示すように、光センサとして外観は１個に構成されるが、実際には３個のビームを独立に出力し、その反射光を独立に検出する。このために、各々の３ビームセンサは、３対の発光素子（例えば、発光ダイオード）及び受光素子（フォトトランジスタ）を有する。即ち、３対の受発光素子を有する。１個のビーム又は１対の受発光素子の直径は１３ｍｍであり、隣接するビームとの中心間の距離は３８ｍｍである。この明細書では、１対の受発光素子又はこれが出力し又はこれに入射する１個のビームを記号Ｓを用いて表す。３ビームセンサ３乃至５において、図４（Ｂ）に示すように、３対の受発光素子は一列に設けられる。３ビームセンサ３乃至５は、３個分の１ビームセンサと同等の機能を果たすが、そのコストは、前述のように、１ビームセンサの約１．１倍である。３ビームセンサ３乃至５としては、例えばオムロン株式会社製の３ビームセンサを用いる。
【００２２】
図３（Ｂ）に示すように、３ビームセンサ３乃至５は、筐体１の下部の内側表面に設けられる。３ビームセンサ３乃至５の発光素子から実質的にその垂直方向に出力された１個のビームが用紙２０で反射されると、その反射光が受光素子に入射して、当該ビームセンサはオンとされる（ビームが検出される）。これは、その位置に用紙２０があることを示す。当該ビームに対応する位置に用紙２０がないと、当該ビームが用紙２０で反射されないので、反射光が受光素子に入射せず、当該ビームセンサはオフとされる（ビームが検出されない）。なお、図３（Ｂ）において、図示の便宜上、ビームがプラテンガラス２で反射されるように描いているが、実際は用紙２０で反射される。
【００２３】
第１の３ビームセンサ３は、３個のビームＳ６、Ｓ５、Ｓ４の出力及びその反射光の検出を行う。３個のビームＳ６、Ｓ５、Ｓ４の位置は、第１の方向の一辺において隣接し、かつ、以下の位置となるように配置される（図１、図６、図７参照）。なお、図１等におけるビームＳ６等は、図８及び図１０における同一の符号のビームと概略において対応する位置にあることを表すのみである。
【００２４】
即ち、ビームＳ６は、第１の方向に載置したＡ列の４番（Ａ４Ｒ）の用紙２０の載置されるべき位置と第１の方向に載置したＢ列の５番（Ｂ５Ｒ）の用紙２０の載置されるべき位置との間に位置させられる。具体的には、Ａ４Ｒ用紙２０の短辺が存在すべき位置とＢ５Ｒ用紙２０の短辺が存在すべき位置との間に位置させられる。図１等から判るように、Ａ４Ｒ用紙２０の短辺が存在すべき位置は、Ａ３用紙２０の長辺が存在すべき位置と等しい。また、Ｂ５Ｒ用紙２０の短辺が存在すべき位置は、Ｂ４用紙２０の長辺が存在すべき位置と等しい。従って、ビームＳ６の位置を定めるために、これらの用語を入れ換えてもよい。この言い換えは以下の各ビームの位置についても同様である。
【００２５】
ビームＳ５は、第１の方向に載置したＢ列の５番（Ｂ５Ｒ）の用紙２０の載置されるべき位置と第１の方向に載置したＡ列の５番（Ａ５Ｒ）の用紙２０の載置されるべき位置との間に位置させられる。図１等から判るように、Ｂ５Ｒ用紙２０の短辺が存在すべき位置は、Ｂ４用紙２０の長辺が存在すべき位置と等しい。また、Ａ５Ｒ用紙２０の短辺が存在すべき位置は、Ａ４用紙２０の長辺が存在すべき位置と等しい。
【００２６】
ビームＳ４は、第１の方向に載置したＡ列の５番（Ａ５Ｒ）の用紙２０の載置されるべき位置と第２の方向に載置したＢ列の５番（Ｂ５）の用紙２０の載置されるべき位置との間に位置させられる。前術のように、Ａ５Ｒ用紙２０の短辺が存在すべき位置は、Ａ４用紙２０の長辺が存在すべき位置と等しい。
【００２７】
第２の３ビームセンサ４は、その３個のビームＳ２、Ｓ１、Ｓ０の出力及びその反射光の検出を行う。３個のビームＳ２、Ｓ１、Ｓ０の位置は、第２の方向の一辺において隣接し、かつ、以下の位置となるように配置される（図１等参照）。
【００２８】
即ち、ビームＳ２は、第２の方向に載置したＡ列の４番（Ａ４）の用紙２０の載置されるべき位置と第２の方向に載置したＢ列の５番（Ｂ５）の用紙２０の載置されるべき位置との間に位置させられる。図１等から判るように、Ａ４用紙２０の短辺が存在すべき位置は、Ａ３Ｒ用紙２０の長辺が存在すべき位置と等しい。また、Ｂ５用紙２０の短辺が存在すべき位置は、Ｂ４Ｒ用紙２０の長辺が存在すべき位置と等しい。
【００２９】
ビームＳ１は、第２の方向に載置したＢ列の５番（Ｂ５）の用紙２０の載置されるべき位置と第２の方向に載置したＡ列の５番（Ａ５）の用紙２０の載置されるべき位置との間に位置させられる。図１等から判るように、Ｂ５用紙２０の短辺が存在すべき位置は、Ｂ４Ｒ用紙２０の長辺が存在すべき位置と等しい。また、Ａ５用紙２０の短辺が存在すべき位置は、Ａ４Ｒ用紙２０の長辺が存在すべき位置と等しい。
【００３０】
ビームＳ０は、第２の方向に載置したＡ列の５番（Ａ５）の用紙２０の載置されるべき位置と第１の方向に載置したＢ列の５番（Ｂ５Ｒ）の用紙２０の載置されるべき位置との間に位置させられる。図１等から判るように、Ａ５用紙２０の短辺が存在すべき位置は、Ａ４Ｒ用紙２０の長辺が存在すべき位置と等しい。
【００３１】
第３の３ビームセンサは、その３個のビームＳ３、Ｓ（Ｂ）、Ｓ７の出力及びその反射光の検出を行う。３個のビームＳ３、Ｓ（Ｂ）、Ｓ７の位置は、第１及び第２の方向に共に斜めに交わる方向において隣接し、かつ、以下の位置となるように配置される（図１等参照）。なお、ビームＳ（Ｂ）は、後述するように、処理に用いられず、黒丸で示されるので、（Ｂ）と表記する。
【００３２】
即ち、ビームＳ３は、第１の方向に載置したＡ列の２番（Ａ２Ｒ）の用紙２０の載置されるべき位置と第１の方向に載置したＢ列の３番（Ｂ３Ｒ）の用紙２０の載置されるべき位置との間に位置させられる。図１等から判るように、Ａ２Ｒ用紙２０の長辺が存在すべき位置は、第２の方向に載置したＡ３用紙２０の短辺が存在すべき位置と等しい。また、Ｂ３Ｒ用紙２０の長辺が存在すべき位置は、Ｂ４用紙２０の短辺が存在すべき位置と等しい。更に、ビームＳ３は、Ａ３用紙２０が載置されるべき位置（領域）に位置させられる。即ち、プラテンガラス２（Ａ２Ｒの載置されるべき位置又は領域）を２等分した場合における原点側の領域に位置させられる。
【００３３】
ビームＳ（Ｂ）は、第１の方向に載置したＢ列の３番（Ｂ３Ｒ）の用紙２０の載置されるべき位置と第２の方向に載置したＡ列の３番（Ａ３）の用紙２０の載置されるべき位置との実質的な交点に位置させられる。図１等から判るように、Ｂ３Ｒ用紙２０の長辺が存在すべき位置は、Ｂ４用紙２０の短辺（の延長線）が存在すべき位置と等しい。また、Ａ３用紙２０の長辺が存在すべき位置は、Ａ４Ｒ用紙２０の短辺（延長線）が存在すべき位置と等しい。更に、ビームＳ（Ｂ）は、Ａ３用紙２０が載置されるべき位置（領域）の境界線上に位置させられる。即ち、プラテンガラス２（Ａ２Ｒの載置されるべき位置又は領域）を２等分した場合における境界線上に位置させられる。
【００３４】
ここで、実際に用紙２０をプラテンガラス２を載置する際には、当該用紙２０が載置されるべき位置と実際の位置との間に多少のずれが生じることは避けられない。従って、ビームＳ（Ｂ）による検出出力は、不安定なものになるので、後述するように、検出処理部６（図４（Ａ）参照）により無視（廃棄）される。従って、また、ビームＳ（Ｂ）の位置は、実質的な交点に位置していればよく、厳密に当該交点に存在せずとも良い。
【００３５】
ビームＳ７は、第１の方向に載置したＢ列の３番（Ｂ３Ｒ）の用紙２０の載置されるべき位置と第１の方向に載置したＡ列の３番（Ａ３Ｒ）の用紙２０の載置されるべき位置との間に位置させられる。図１等から判るように、Ｂ３Ｒ用紙２０の長辺が存在すべき位置は、Ｂ４用紙２０の短辺（の延長線）が存在すべき位置と等しい。また、Ａ３Ｒ用紙２０の長辺が存在すべき位置は、Ａ４用紙２０の短辺（の延長線）が存在すべき位置と等しい。更に、ビームＳ７は、第２の方向に載置したＡ３用紙２０が載置されるべき位置（領域）以外の位置に位置させられる。即ち、プラテンガラス２（Ａ２Ｒの載置されるべき位置又は領域）を２等分した場合における原点側と反対側の領域に位置させられる。
【００３６】
検出部８における３ビームセンサ３乃至５の９個のビームＳ０乃至Ｓ７及びＳ（Ｂ）の検出出力は、図４（Ａ）に示すように、検出処理部６に入力される。検出処理部６は、これらの検出出力の組み合わせに基づいて、検出テーブル７を参照して、用紙２０のサイズの判定を行い、結果を出力する。なお、前述したように、ビームＳ（Ｂ）は、検出処理部６による検出処理に使用されない。従って、実質的には８個のビームＳ０乃至Ｓ７のみが、検出結果の判定に用いられる。また、ビームＳ（Ｂ）の検出出力を検出処理部６に入力しないようにしても良い。
【００３７】
検出処理部６は、当該複写機を制御するＣＰＵ（中央演算処理装置、図示せず）と主メモリ（図示せず）上に存在する検出処理プログラムとからなり、当該プログラムがＣＰＵ上で実行されることにより実現される。検出テーブル７は、不揮発性のメモリからなり、例えばＥＰＲＯＭ（紫外線消去可能な読出専用メモリ）からなる。検出テーブル７は、図２に示される。図２において、図９と同様に、丸印は当該ビームの検出出力のオンを示す。
【００３８】
例えば、図２において８個のビームが全てオンの場合、これらのビームが全て載置した用紙２０により反射されたのであるから、図１等から当該用紙２０はＡ２Ｒであることが判る。また、１個のビームＳ３のみがオフの場合、そのビームのみが載置した用紙２０により反射されたのであるから、図１等から当該用紙２０はＢ３Ｒであることが判る。以下、同様にして、前述の１２種類の用紙２０のサイズを検出することができる。
【００３９】
以上、本発明をその実施態様により説明したが、本発明はその主旨の範囲において種々の変形が可能である。
【００４０】
例えば、本発明は複写機に限らず、用紙のサイズを自動的に検出する用紙サイズ検出装置を備える電子機器に広く適用することができる。即ち、本発明による装置は、用紙サイズ検出装置として構成して、これを例えばスキャナ、ファクシミリ等の種々の電子機器に搭載することができる。
【００４１】
【発明の効果】
以上説明したように、本発明によれば、用紙サイズ検出装置において、その各々が３個のビームを検出する第１乃至第３の３ビームセンサを用い、これらを用紙の位置に対して所定の位置に配置することにより、３個の３ビームセンサのみで１２種類の用紙を識別することができるので、用紙サイズ検出装置における光センサの分のコストとしては３個の３ビームセンサの分を付加するのみでよく、従って、用紙サイズ検出装置における従来の光センサの分のコストを大きく低減させ、結果として、用紙サイズ検出装置のコストを低減することができる。
【図面の簡単な説明】
【図１】本発明の原理構成図である。
【図２】複写機説明図である。
【図３】複写機説明図である。
【図４】複写機説明図である。
【図５】用紙説明図である。
【図６】複写機説明図である。
【図７】複写機説明図である。
【図８】従来技術説明図である。
【図９】従来技術説明図である。
【図１０】関連技術説明図である。
【図１１】関連技術説明図である。
【図１２】関連技術説明図である。
【符号の説明】
１    筐体
２    プラテンガラス
３、４、５    ３ビームセンサ
６    検出処理部
７    検出テーブル
２０    用紙
【図１】
0003631651.tif 000002
【図２】
0003631651.tif 000003
【図３】
0003631651.tif 000004
【図４】
0003631651.tif 000005
【図５】
0003631651.tif 000006
【図６】
0003631651.tif 000007
【図７】
0003631651.tif 000008
【図８】
0003631651.tif 000009
【図９】
0003631651.tif 000010
【図１０】
0003631651.tif 000011
【図１１】
0003631651.tif 000012
【図１２】
0003631651.tif 000013